(57)【特許請求の範囲】
【請求項１】
輝度および色差を規定し、少なくとも色差範囲が拡張された第１拡張色空間を含む第１色空間に係る第１色信号値に応じた画像信号を取得する画像取得手段を備え、前記画像取得手段で取得した画像信号を、画像表示に係る色表示域に応じた階調へ割り当てる処理を行う画像処理装置において、
前記画像取得手段で取得した画像信号に係る第１色信号値の中に、前記第１拡張色空間に属する値が含まれるか否かを検出する第１検出手段と、
前記第１検出手段が前記第１拡張色空間に属する値が含まれることを検出した場合、前記第１拡張色空間に属する値を含んだ画像信号を、画像表示に係る色表示域に応じた階調へ割り当てる処理を行う第１割当手段と
を備えることを特徴とする画像処理装置。
【請求項２】
前記第１検出手段が前記第１拡張色空間に属する値が含まれないことを検出した場合、前記画像取得手段が取得した画像信号を、複数色の割合を規定し、色信号値が負となる範囲または基準値を超える範囲まで拡張された第２拡張色空間を含む第２色空間に係る第２色信号値に応じた画像信号へ変換する変換手段と、
前記変換手段が変換した画像信号に係る第２色信号値の中に、前記第２拡張色空間に属する値が含まれるか否かを検出する第２検出手段とを備え、
前記第２検出手段が前記第２拡張色空間に属する値が含まれることを検出した場合、前記第１割当手段は、前記第２拡張色空間に属する値を含んだ画像信号を、画像表示に係る色表示域に応じた階調へ割り当てる処理を行う請求項１に記載の画像処理装置。
【請求項３】
前記第２検出手段が前記第２拡張色空間に属する値が含まれないことを検出した場合、前記変換手段で変換した画像信号を、画像表示に係る色表示域に応じた階調へ割り当てる処理を行う第２割当手段を備える請求項２に記載の画像処理装置。
【請求項４】
外部の表示装置と接続を行う接続手段と、
前記接続手段から、画像表示に係る色表示域に応じた階調へ割り当てられた画像信号を出力する手段と
を備える請求項１乃至請求項３のいずれか１項に記載の画像処理装置。
【請求項５】
表示部と、
前記表示部へ、画像表示に係る色表示域に応じた階調へ割り当てられた画像信号を供給する手段と
を備える請求項１乃至請求項３のいずれか１項に記載の画像処理装置。
【請求項６】
前記表示部は、表示パネルであり、
前記表示パネルの照射を行う照射手段と、
前記第１割当手段が、画像信号を階調へ割り当てる処理を行った場合、前記照射手段の照射量を基準量より高める調整を行う照射量調整手段と
を備える請求項５に記載の画像処理装置。
【発明の詳細な説明】
【技術分野】
【０００１】
本発明は、外部から取得した画像信号に係る色信号に含まれる値に応じて、最適な色表現処理を自動で適宜切り替えられるようにした画像処理装置に関する。
【背景技術】
【０００２】
画像の色域を規定する色空間の１つとしてＲＧＢ系の色空間が存在し、その中にはｓＲＧＢ（standard RGB）色空間が、国際電気標準会議（IEC）で規定されており、従来の一般的な表示装置、プリンタ装置、およびデジタルカメラ等の色再現を行う各種機器は、ｓＲＧＢ色空間に係るｓＲＧＢ信号に準拠していることが多い。このｓＲＧＢ信号に応じた画像信号に基づく表示処理を行う従来の一般的な表示装置では、表示対象となる画像のｓＲＧＢ信号に負の値または１以上の値が含まれていれば、通常、これらの値をクリッピング（負の値は０として処理し、１以上の値は１として処理すること）する。それから、クリッピングした信号値を含む画像を、表示装置の表示デバイス（例えば、表示パネル）のＲＧＢ値に応じた色表現範囲のビット数（一般には８ビットの２５６階調）へ割り当て（マッピング）、ｓＲＧＢ信号に応じた色表現処理を行う。
【０００３】
また、ＲＧＢ系の色空間と異なる他の色空間としては、ＹＣｂＣｒ（ＹＵＶまたはＹＣＣと称される場合もある）色空間が用いられる場合もある。このＹＣｂＣｒ色空間に係るＹＣｂＣｒ信号は、画像の色域を、色差（青色の色差と赤色の色差）および輝度によって規定しており、ＹＣｂＣｒ信号に応じた画像の従来の一般的な表示処理では、２５６段階（８ビット）で分けられる色差値の範囲の中で、１以上１５以下の範囲と、２４１以上２５４以下の範囲に属する色差値がクリッピングされる。
【０００４】
さらに、昨今では、上述したｓＲＧＢ色空間を包含する色域としてｘｖＹＣＣ色空間が規定されている。このｘｖＹＣＣ色空間に応じたｘｖＹＣＣ信号の画像を表示する際には、上述したｓＲＧＢ信号およびＹＣｂＣｒ信号の表示処理で、クリッピングされていた範囲も、クリッピングすることなく表示デバイスの色表現範囲へマッピングすると云うｘｖＹＣＣ信号に応じた色表現処理を行えば、それにより、高い色表現性で、より鮮やかな色、深みのある色を再現することが可能となる。なお、ｘｖＹＣＣ色空間は、ｓＲＧＢ信号およびＹＣｂＣｒ信号の表示処理でクリッピングされていた色空間の範囲を含んでおり、このような色空間の範囲は、一般に「拡張された色空間」と称されることが多い。
【０００５】
また、色空間に応じた画像の表示処理を行う装置の形態としては、テレビジョン装置のように表示デバイスを有する表示装置の形態と、録画装置またはセットトップボックス等のように表示デバイスを有しない装置の形態が考えられる。後者の場合、画像の表示処理を行う装置は、外部の表示装置と接続される共に、表示処理を行った画像信号を外部の表示装置へ出力することで、外部の表示装置に画像を表示させることになる。
【０００６】
一方、下記の特許文献１では、表示パネル等の表示デバイスの色再現特性に関係なく、良好な色再現特性を発揮できるようにするため、複数種類の色変換特性データに基づき、表示対象となる画像データに対して複数回の色変換処理を、ユーザの操作に従って行う画像表示装置が開示されている。
【特許文献１】特開２００７−１７８６２号公報
【発明の開示】
【発明が解決しようとする課題】
【０００７】
近時、ｓＲＧＢ信号に応じた色表現処理に加えて、ｘｖＹＣＣ信号に応じた色表現処理にも対応可能な表示装置（ｘｖＹＣＣ信号に対応可能なテレビジョン装置）が登場している。このテレビジョン装置では、ユーザの操作により、ｓＲＧＢ信号に応じた色表現処理またはｘｖＹＣＣ信号に応じた色表現処理の実行を切り替えるようになっている。そのため、仮に、テレビジョン放送で送られてくる画像が、ｓＲＧＢ信号に応じたものと、ｘｖＹＣＣ信号に応じたものが放送時間帯によって切り替わるような状況になると、色表現処理の切替に係るユーザの操作負担が多大になると云う問題が生じる。より具体的な状況を想定すると、たとえば、ｘｖＹＣＣ信号に応じた番組コンテンツ（例えば、映画番組）が放送される合間に、ｓＲＧＢ信号に応じたコマーシャル映像が放送されると、上述したテレビジョン装置のユーザは、放送内容がコマーシャル映像から番組コンテンツへ切り替わるたびに、画像の色表示処理を切り替える操作を行う必要が生じ、リラックスしてテレビジョン放送を楽しむことが妨げられる。なお、対象となるテレビジョン放送としては、放送電波で送られてくるもの、ケーブルテレビのようにケーブルを通じて送られてくるもの、ネットワークを通じて送られてくるものなどがある。
【０００８】
また、上述したようなテレビジョン装置は通常、外部入力端子を有しており、この外部入力端子を介して録画装置、デジタルビデオカメラ、デジタルカメラ等の画像出力が可能な外部機器と接続が可能になっている。これらの外部機器が、ｓＲＧＢ信号に応じた画像またはｘｖＹＣＣ信号に応じた画像の両方を出力可能であれば、上述したテレビジョン放送の場合と同様な問題が生じる。すなわち、外部機器が出力する画像に係る色信号の種類が、ｓＲＧＢ信号であるか、またはｘｖＹＣＣ信号であるかをユーザが随時確認し、確認結果に応じた色表示処理に切り替える操作を行わねばならず、ユーザの操作負担が大きいと云う問題がある。さらに、このような問題は、テレビジョン装置が有線を通じて取得した画像だけでなく、赤外線通信（例えば、ＩｒＳＳ）のような無線通信で取得した画像に対する色表示処理を行う場合でも同様に生じる。
【０００９】
なお、外部入力端子として、ＨＤＭＩ（High Definition
Multimedia Interface）端子を用いて画像を取得する場合、または無線ＨＤＭＩで画像を取得する場合は、ＨＤＭＩ規格に係るインフォフレームに、取得対象になる画像がｓＲＧＢ信号またはｘｖＹＣＣ信号によるものかを示す識別符号が含まれるときがある。そのため、このようなときでは、インフォフレームに含まれる識別符号を参照することで、取得した画像に応じた色信号を、画像の表示処理を行う装置側で判別することができる。
【００１０】
また、上述した特許文献１でも、ユーザの操作により、複数回の色変換処理を行うので、ユーザは表示対象の画像信号が、どのような色空間に基づくものであるかを確認した上で、色変換処理に係る操作指示を行う必要があるので、ユーザに対する負担は大きいと云う問題がある。
【００１１】
本発明は、斯かる問題に鑑みてなされたものであり、ＨＤＭＩ規格に係るインフォフレームに含まれることがある識別符号を利用しなくても、外部から取得する画像信号に含まれる色域を表す信号値に基づいて、自動で適切な色表現処理に切り替えられるようにした画像処理装置を提供することを目的とする。
【課題を解決するための手段】
【００１２】
上記課題を解決するために本発明に係る画像処理装置は、ｓＲＧＢ色空間と、ｓＲＧＢ色空間から拡張された拡張色空間とを含むｘｖＹＣＣ色空間に係るｘｖＹＣＣ色信号値に応じた画像信号を、画像表示に係る色表示域に応じた階調へ割り当てる処理を行う画像処理装置において、外部から取得した画像信号に係る信号値の中に、前記拡張色空間に属する値が含まれるか否かを検出する検出手段と、前記検出手段が前記拡張色空間に属する値が含まれることを検出した場合、前記拡張色空間に属する値を含んだ画像信号を、画像表示に係る色表示域に応じた階調へ割り当てる処理を行う手段とを備えることを特徴とする。
【００１３】
本発明にあっては、外部から取得した画像信号に応じた色信号値の中に、拡張色空間に属する値が含まれることを検出すると、拡張色空間に属する値も含めて、外部から取得した画像信号を画像表示に係る色表示域に応じた階調へ割り当てるので、従来のｘｖＹＣＣ信号に対応可能なテレビジョン装置のように、ユーザが切替操作を行わなくても、ｘｖＹＣＣ色空間にマッチした画像信号のマッピング処理を自動で行えるようになる。その結果、従来のｘｖＹＣＣ信号に対応可能なテレビジョン装置で要求されていた切替操作の負担からユーザは解放され、リラックスして、色再現性に優れた画像品質を楽しめるようになる。
【００１４】
また、本発明に係る画像処理装置は、輝度および色差を規定し、少なくとも色差範囲が拡張された第１拡張色空間を含む第１色空間に係る第１色信号値に応じた画像信号を取得する画像取得手段を備え、前記画像取得手段で取得した画像信号を、画像表示に係る色表示域に応じた階調へ割り当てる処理を行う画像処理装置において、前記画像取得手段で取得した画像信号に係る第１色信号値の中に、前記第１拡張色空間に属する値が含まれるか否かを検出する第１検出手段と、前記第１検出手段が前記第１拡張色空間に属する値が含まれることを検出した場合、前記第１拡張色空間に属する値を含んだ画像信号を、画像表示に係る色表示域に応じた階調へ割り当てる処理を行う第１割当手段とを備えることを特徴とする。
【００１５】
本発明にあっては、外部から取得した画像信号に応じた第１色信号値の中に、第１拡張色空間に属する値が含まれることを検出すると、第１拡張色空間に属する値も含めて、外部から取得した画像信号を画像表示に係る色表示域に応じた階調へ割り当てるので、第１拡張色空間に値が属するか否かで、広域の色信号に応じたマッピング処理が自動で行われるようになる。そのため、取得した画像信号の中に第１拡張色空間に属する値が含まれていれば、広域の色信号に応じたマッピング処理を通じて、優れた色再現性で画像を表示できる色表現処理が自動で行われ、従来の表示装置等で要求されていた切替操作の負担からユーザは解放され、リラックスして、色再現性に優れた画像品質を楽しめるようになる。
【００１６】
なお、第１色信号値としては、たとえば、ＹＣｂＣｒ信号の値を適用することが可能である。この場合、第１拡張色空間に対応した範囲としては、ＹＣｂＣｒ信号に係る画像表示処理で従来、クリッピングされていた数値範囲（たとえば、色差に関する２５６段階の全範囲において１以上１５以下の範囲、または２４１以上２５４以下の範囲の少なくとも一方の範囲）を適用させることが、ｘｖＹＣＣ信号として扱われる領域を有効に活用できる点で好ましい。
【００１７】
また、外部から取得する画像信号は、アナログ信号またはデジタル信号のいずれでも適用可能であり、画像信号の取得経路としては、アナログテレビジョン放送またはデジタルテレビジョン放送を通じて取得する場合（なお、テレビジョン放送は、放送電波、ケーブルテレビジョン網、ネットワーク網のいずれかを介して伝達される）、各種接続規格（ＩＥＥＥ１３９４，ＵＳＢ等）に応じた接続ケーブルを通じて取得する場合、または、赤外線通信（ＩｒＳＳ）のような無線で取得する場合等が適用可能である。さらに、ＨＤＭＩ系の接続規格または無線通信規格を用いる場合でも、ＨＤＭＩ規格に係るインフォフレームに色域を示す識別符号が含まれないときに対しても、本発明は有用になる。
【００１８】
本発明に係る画像処理装置は、前記第１検出手段が前記第１拡張色空間に属する値が含まれないことを検出した場合、前記画像取得手段が取得した画像信号を、複数色の割合を規定し、色信号値が負となる範囲または基準値を超える範囲まで拡張された第２拡張色空間を含む第２色空間に係る第２色信号値に応じた画像信号へ変換する変換手段と、前記変換手段が変換した画像信号に係る第２色信号値の中に、前記第２拡張色空間に属する値が含まれるか否かを検出する第２検出手段とを備え、前記第２検出手段が前記第２拡張色空間に属する値が含まれることを検出した場合、前記第１割当手段は、前記第２拡張色空間に属する値を含んだ画像信号を、画像表示に係る色表示域に応じた階調へ割り当てる処理を行うことを特徴とする。
【００１９】
本発明にあっては、外部から取得した画像信号に係る第１色信号値の中に、第１拡張色空間に属する値が含まれない場合、取得した画像信号を第２色空間に係る第２色信号値に応じた画像信号へ変換すると共に、変換した画像信号に係る第２色信号値の中に、第２拡張色空間に属する値が含まれるか否かを検出するので、取得した画像信号に応じた色域を、画像の色表示処理に対して有効に活用できないかを二段階で判別できるようになる。また、第２拡張色空間に属する値が含まれていれば、これらの範囲に属する値も含めて、取得した画像信号を色表示域に応じた階調へ自動で割り当てるので、従来、クリッピング対象範囲となっていた色信号の値がマッピングされるようになり、それにより、取得した画像信号にマッチした色表現処理が自動で行われるようになる。
【００２０】
なお、第２色空間としては、ＲＧＢ系の色空間（たとえば、ｓＲＧＢ色空間）を適用することが考えられる（第２色信号値としては、たとえば、ｓＲＧＢ信号の値）。この場合、第２拡張色空間の範囲としては、ｓＲＧＢ信号に係る画像表示処理で従来、クリッピングされていた数値範囲（マイナスの範囲、または１以上の範囲）を適用させることが、ｘｖＹＣＣ信号として扱える領域を有効に活用すると云う点で好適となる。
【００２１】
本発明に係る画像処理装置は、前記第２検出手段が前記第２拡張色空間に属する値が含まれないことを検出した場合、前記変換手段で変換した画像信号を、画像表示に係る色表示域に応じた階調へ割り当てる処理を行う第２割当手段を備えることを特徴とする。
【００２２】
本発明にあっては、変換した画像信号に係る第２色信号値の中に、上述した各拡張色空間の範囲に属する値が含まれないことを検出した場合、変換した画像信号を、色表示域に応じた階調へ割り当てるので、取得した画像信号に応じた色再現性が確保された画像が表示されるようになる。そのため、広域の色空間に対応した値が二段階の検出処理を経ても、見つからない場合は、自動的に通常の色表現処理が行われるので、取得した画像信号に応じた色域に応じた表示処理を指定する切替操作をユーザは行わなくても済む。
【００２３】
本発明に係る画像処理装置は、外部の表示装置と接続を行う接続手段と、前記接続手段から、画像表示に係る色表示域に応じた階調へ割り当てられた画像信号を出力する手段とを備えることを特徴とする。
【００２４】
本発明にあっては、外部の表示装置と接続を行う接続手段から、色表現処理に係る画像信号を出力するので、録画装置またはセットトップボックスのような表示デバイスを有しない装置形態であっても、本発明を適切に利用できるようになる。なお、外部の表示装置としては、液晶パネルまたは有機ＥＬ（Electro-Luminescence）のような表示パネルを備えた表示装置、ブラウン管（受像管）を備えた表示装置、プラズマディスプレイパネル（PDP）を備えた表示装置、リアプロジェクション式またはフロントプロジェクション方式の表示装置などを適用することが可能である。
【００２５】
本発明に係る画像表示装置は、表示部と、前記表示部へ、画像表示に係る色表示域に応じた階調へ割り当てられた画像信号を供給する手段とを備えることを特徴とする。
本発明にあっては、表示デバイスに相当する表示部へ、色表現処理に係る画像信号を供給するので、テレビジョン装置のような表示デバイスを有する装置形態に対して、本発明を適切に利用できるようになる。なお、表示部としては、液晶パネル、有機ＥＬパネル、ＳＥＤ（Surface-conduction Electron-emitter Display）等を含む電界放出ディスプレイ（ＦＥＤ）用パネル、プラズマディスプレイパネル、プロジェクション方式に適用される表示モジュール等を適用できる。
【００２６】
本発明に係る画像表示装置は、前記表示部は、表示パネルであり、前記表示パネルの照射を行う照射手段と、前記第１割当手段が、画像信号を階調へ割り当てる処理を行った場合、前記照射手段の照射量を基準量より高める調整を行う照射量調整手段とを備えることを特徴とする。
【００２７】
本発明にあって、第１割当手段が割当処理を行うと、第１色空間に応じた広い色域に係る色味が再現されるため、濃い色などは一段と深い色味になり、それに伴い、照射手段で照射される光が画面上で表示された深い色味で遮られる程度が増し、画面上での輝度が幾分低下することになる。しかし、本発明にあっては、第１割当手段の割当処理に連動して、照射量を高めるので、輝度の低下分を補って適切な輝度を確保でき、色の鮮やかさ及び深い色味の表現を維持しながら、画像の明るさの低下を防止できるようになる。
【発明の効果】
【００２８】
本発明にあっては、拡張色空間に属する値が、外部から取得したｘｖＹＣＣ色空間に係る画像信号に含まれていれば、ｘｖＹＣＣ色空間を包含する広域の色信号に応じた色表現処理を行うので、取得した画像信号に含まれる値に応じて、ｘｖＹＣＣ色空間に含まれる広い範囲の色信号の再現に応じた表示処理を自動で行うことができる。
また、本発明にあっては、第１拡張色空間に属する値が、外部から取得した画像信号に含まれていれば、広域の色信号に応じた色表現処理を行うので、取得した画像信号に含まれる値に応じて、広域の色信号の再現に応じた表示処理を自動で行うことができ、特段の操作を行うことなく、ユーザは色再現性に優れた画質を享受できる。
さらに、本発明にあっては、第１拡張色空間に属する値を画像信号が含まなければ、画像信号を第２色空間に応じたものに変換して、第２拡張色空間に属する値を変換した画像信号が含むか否かを検出するので、取得した画像信号に広域色信号に応じた値が含まれるかを二段階で判定でき、さらに、第２拡張色空間の範囲に応じた値が含まれれば、広域の色信号に応じた色表現処理を行うので、この場合も、ユーザが特段の操作を行わなくても、自動で色再現性に優れた画像の表示処理を行える。
【００２９】
さらに、本発明にあっては、第２拡張色空間の範囲に属する値を、変換した画像信号が含まなければ、変換した画像信号で色表現処理を行うので、ユーザが色表現処理の種類を指定しなくても、最適な処理に自動で切り替わるため、ユーザは取得した画像信号に応じた色信号の種類を気にすることなく、画像コンテンツを楽しむことができる。
【００３０】
本発明にあっては、外部の表示装置と接続を行う接続手段を具備し、その接続手段から、色表現処理に係る画像信号を出力するので、表示デバイスを有しない装置形態でも本発明を有効に適用できる。
また、本発明にあっては、表示デバイスに相当する表示部を具備すると共に、その表示部へ色表現処理に係る画像信号を供給するので、テレビジョン装置のような表示デバイスを有する装置形態に対しても本発明を適切できる。
【００３１】
本発明にあっては、第１割当手段が行う割当処理に連動して、照射手段の照射量を高めるので、広い色域に応じた色表現処理を行った場合に生じる画面上の輝度低下が防止され、優れた色表現性および適切な輝度確保を両立できる。
【発明を実施するための最良の形態】
【００３２】
図１は、本発明の実施形態に係るテレビジョン装置１の主要な構成を示すブロック図である。本実施形態のテレビジョン装置１は、本発明に係る画像処理装置を包含した構成になっており、本発明に応じた各種処理を行うユニットを内蔵している。テレビジョン装置１は、色信号に応じた映像（動画）に係る画像信号（動画の画像フレームに応じた信号）を外部から取得しており、取得した画像信号に応じた画像の表示処理を行う際、画像信号に係る色域に従って、画像表示に係る色表示域に応じた階調へ画像信号を割り当てると云うマッピング処理の仕方を適宜選択し、最適な色表現処理を自動で切替可能にしている。そのため、テレビジョン装置１は、取得した画像信号に「拡張された色空間（いわゆる拡張色空間）」に属する信号値が含まれていれば、拡張色空間に合わせたマッピング処理にも自動で対応できるようになっている。
【００３３】
テレビジョン装置１（液晶テレビジョン装置）は、外部から色信号に応じた画像信号を取得するためにアナログチューナ２、ビデオ入力部３（アナログ）、デジタル入力部６、デジタルチューナ７を具備し、取得した画像信号に係る色信号の色域を色域判断部９で判断すると共に、その判断結果に基づいた画像処理を映像処理部８で行う。なお、テレビジョン装置１は、アナログの画像信号の処理系統としてセレクタ４およびＡＤ変換部５を含んでおり、画像を表示する液晶パネル２０（表示部に相当）を照射するためのバックライト２２およびバックライト制御部２３も備えている。さらに、テレビジョン装置１は、全般的な制御を行う制御部２１を具備し、ユーザからの操作を受け付ける操作部２４と、リモコン装置２６からの遠隔操作信号を含む赤外光を受光する受光部２５とを制御部２１に接続して、ユーザの操作指示を制御部２１へ伝えられるようにしている。以下、テレビジョン装置１の各部を詳説する。
【００３４】
まず、テレビジョン装置１のアナログの画像信号の取得に関する処理系統（アナログチューナ２、ビデオ入力部３、セレクタ４、およびＡＤ変換部５。これら全体が画像取得手段に相当）を説明する。アナログチューナ２は、受信アンテナＡ１と接続されており、放送電波を通じて送信されてくるアナログのテレビジョン信号（放送番組の映像を示す信号）を受信し、受信したテレビジョン信号に含まれる画像信号を取得して、取得した画像信号をセレクタ４へ伝送する処理を行う。また、ビデオ入力部３は、アナログの画像信号（動画の画像フレーム）の出力が可能な外部機器（ビデオカメラ、録画装置等）と接続を行う接続端子に相当し、接続されている外部機器が画像信号を出力すれば、出力されてくる画像信号を取得してセレクタ４へ伝送する処理を行う。
【００３５】
セレクタ４は、アナログチューナ２またはビデオ入力部３から伝送されてきた画像信号を受け取って、制御部２１からの制御指示に従って、アナログチューナ２またはビデオ入力部３のいずれか一方の画像信号をＡＤ変換部５へ伝送する処理を行う。ＡＤ変換部５は、セレクタ４から送られてくるアナログの画像信号をデジタルの画像信号に変換するものであり、変換したデジタルの画像信号に、その画像信号に応じた画像フレームを識別する識別信号を付帯させて映像処理部８および色域判断部９へそれぞれ伝送する。ＡＤ変換部５が変換するデジタルの画像信号は、輝度（Ｙ）および色差（ＣｂＣｒ）を規定するＹＣｂＣｒ色空間（第１色空間に相当）に係るＹＣｂＣｒ信号の値（第１色信号値に相当）が、画像を構成する複数の画素にそれぞれ含まれたものになっており、このように変換することで、テレビジョン装置１は、アナログのテレビジョン信号に基づいてＹＣｂＣｒ色空間に係るＹＣｂＣｒ信号値を取得する。なお、ＹＣｂＣｒ信号は、輝度および色差に関して、それぞれ０以上２５５以下の範囲（２５６段階の範囲）に応じた値を有している。
【００３６】
次に、テレビジョン装置１のデジタルの画像信号の取得に関する処理系統（デジタル入力部６およびデジタルチューナ７）を説明する。デジタル入力部６は、接続インタフェース部６ａと、無線インタフェース部６ｂを有している。接続インタフェース部６ａは、デジタルの画像信号（動画の画像フレーム）の出力が可能な外部機器（デジタルビデオカメラ、デジタルの録画装置等）と接続ケーブルを介して接続を行う接続端子に相当し、外部機器から出力されてくる画像信号を取得すると共に、取得した画像信号を、その画像信号に応じた画像フレームを識別する識別信号と共に、映像処理部８および色域判断部９へそれぞれ伝送する。なお、本実施形態の接続インタフェース部６ａは、接続に応じた規格としてＩＥＥＥ１３９４に対応したものになっているが、それはあくまで一例であり、他のデジタルインタフェース（たとえば、ＨＤＭＩ、ＵＳＢ、１０ＢＡＳＥ／１００ＢＡＳＥ等に係るＬＡＮ規格等）も勿論適用可能であると共に、異なる規格に応じた接続インタフェース部６ａを複数設けることも可能である。
【００３７】
また、デジタル入力部６の無線インタフェース部６ｂは、デジタルの画像信号（動画の画像フレーム）の出力を無線通信で行うことが可能な外部機器から、無線通信を通じて画像信号を取得するものであり、取得した画像信号を、その画像信号に応じた画像フレームを識別する識別信号と共に、映像処理部８および色域判断部９へそれぞれ伝送する。本実施形態の無線インタフェース部６ａは、無線通信に応じた規格として無線ＨＤＭＩに対応したものになっているが、それはあくまで一例であり、ＩｒＳＳ等の赤外線通信（ＩｒＤＡ）、その他各種無線通信規格（たとえば、ワイヤレスＵＳＢ、ブルートゥース（登録商標）、無線ＬＡＮ規格等）も勿論適用可能であると共に、異なる規格に応じた無線インタフェース部６ｂを複数設けることも可能なのは、上述した接続インタフェース部６ａと同様である。
【００３８】
デジタルチューナ７は、受信アンテナＡ２と接続されており、地上デジタルテレビジョン放送などのデジタル放送を通じてデジタルのテレビジョン信号（放送番組の映像を示す信号）を受信し、受信したテレビジョン信号に含まれるデジタルの画像信号を取得して、取得した画像信号を、その画像信号に応じた画像フレームを識別する識別信号と共に、映像処理部８および色域判断部９へそれぞれ伝送する。なお、上述したデジタル入力部６およびデジタルチューナ７で取得される画像信号も、ＡＤ変換部５での変換後の画像信号と同様に、ＹＣｂＣｒ色に係る複数のＹＣｂＣｒ信号に応じたものになっている。
【００３９】
次に、本発明において中心的な処理を行う１つである色域判断部９について説明する。色域判断部９は検出手段に相当し、ＡＤ変換部５、デジタル入力部６およびデジタルチューナ７からそれぞれ送られてくる画像信号に係るＹＣｂＣｒ信号がどのような色域に応じた値を含んでいるか否かを段階的に計２段階で検出する処理を行っている。
【００４０】
図２（ａ）に示すように、色域判断部９は、上述したような計２段階で色域に係る検出を行うため、第１検出部９ａ（第１検出手段に相当）および第２検出部９ｂ（第２検出手段に相当）を具備している。第１検出部９ａは、最初の段階（第１段階）の検出処理を行っており、検出結果を映像処理部８へ伝送する。また、第２検出部９ｂは、次の段階（第２段階）の検出処理を行い、検出結果を映像処理部８へ伝送する。
【００４１】
図３は、色域判断部９の色域に係る検出処理において、検出対象となる色空間を、ＹＣｂＣｒ色空間をベースにして二次元上のグラフに表したものであり、０〜２５４までの目盛が示された横軸が色差（ＣｂＣｒ）を表し、０〜２５４の目盛が示された縦軸が輝度（Ｙ）を表している。このグラフにおいて、色差が１６以上２４０以下であり、かつ輝度が１６以上２３５以下の矩形範囲の中に位置する菱形範囲１１ｇは、従来のｓＲＧＢ信号に対する画像の表示処理で、処理対象となっていた範囲に該当する。そのため、色差が１以上１５以下であり、かつ輝度が１６以上２３５以下の縦長矩形の第１領域１１ａ（ｘｖＹＣＣ色空間で拡張された範囲であり、少なくとも色差範囲が拡張された第１拡張色空間に相当）は、従来のＹＣｂＣｒ信号に対する画像の表示処理で、クリッピングされていた範囲に該当する。同様に、色差が２４１以上２５４以下であり、かつ輝度が１６以上２３５以下の縦長矩形の第２領域１１ｂ（ｘｖＹＣＣ色空間で拡張された範囲であり、少なくとも色差範囲が拡張された第１拡張色空間に相当）も、従来のＹＣｂＣｒ信号に対する画像の表示処理でクリッピングされていた範囲（従来の色表現処理で反映されない範囲）に該当する。
【００４２】
また、上述した菱形範囲１１ｇは、ｓＲＧＢ色空間（赤色、緑色、青色が含まれる割合を規定する第２色空間に相当）に該当し、ｓＲＧＢ色空間に係る規定（BT.709）において、ｓＲＧＢ信号の値が０を超過して１未満の範囲を表している。さらに、上述した色差が１６以上２４０以下の矩形範囲の中で、菱形範囲１１ｇより輝度（Ｙ）において下方となる三角形状の第３領域１１ｃおよび第４領域１１ｄは、ｓＲＧＢ信号の値が負となる範囲に該当し、菱形範囲１１ｇより輝度（Ｙ）において上方となる三角形状の第５領域１１ｅおよび第６領域１１ｆは、ｓＲＧＢ信号の値が１より大きい範囲（基準値を超える範囲に相当）に該当し、これら第３領域１１ｃ〜第６領域１１ｆは、従来のｓＲＧＢ信号に対する画像の色表現処理の中でクリッピングされていた範囲を示し、ｓＹＣｂＣｒ空間で拡張された第２拡張色空間に該当する。
【００４３】
一方、ｓＲＧＢ色空間を包含するｘｖＹＣＣ色空間は、従来の色表現処理でクリッピングされていた第１領域１１ａ〜第６領域１１ｆの各領域の範囲も含んでおり（第１領域１１ａ〜第６領域１１ｆは、ｓＲＧＢ色空間から拡張された拡張色空間に相当）、ｘｖＹＣＣ色空間に係る画像信号の色表現処理において反映することが規定されている。そのため、ｘｖＹＣＣ色空間に係るｘｖＹＣＣ信号に応じた画像表示処理では、拡張色空間に応じた各領域１１ａ〜１１ｆに含まれる信号値も液晶パネル２０の動作範囲（画像表示に係る色表示域に応じた階調。たとえば、８ビットの２５６階調）へ割り当てると云うマッピング処理が行われる。
【００４４】
上述した図２（ａ）の色域判断部９の第１検出部９ａは、色域判断部９へ送られてきた画像信号に係るＹＣｂＣｒ信号の中に、図３の第１領域１１ａまたは第２領域１１ｂの少なくともいずれか一方に属する値が含まれるか否かを検出する（第１段階の検出処理）。検出を行うと、第１検出部９ａは、検出結果を示す情報を、検出処理を行った画像信号を表す識別信号と共に映像処理部８へ送る。
【００４５】
一方、第２検出部９ｂは、後述するように映像処理部８から送られてくるＲＧＢ変換された色空間に応じた画像信号に係るＲＧＢ値（第２色信号値に相当）の中に、第３領域１１ｃ、第４領域１１ｄ、第５領域１１ｅ、第６領域１１ｆの少なくともいずれか一つの領域に属する値が含まれるか否かを検出する（第２段階の検出処理）。検出を行うと、この第２検出部９ａも、検出結果を示す情報を、検出処理を行った画像信号を表す識別信号と共に映像処理部８へ送る。
【００４６】
図１および図２（ｂ）に示す映像処理部８は、本発明において上述した色域判断部９と共に、中心的な処理を行うものであり、画像信号を液晶パネル２０の可変幅である画像表示に係る色表示域に応じたＲＧＢ信号の階調（８ビット）へ割り当てる処理（マッピング処理）を行う手段に相当する。特に、本実施形態の映像処理部８は、このマッピング処理の内容を、ユーザからの操作指示を受けなくても、上述した色域判断部９から送られてくる検出結果を示す情報に基づき、ｘｖＹＣＣ信号の色域に合った色表現処理と、ｓＲＧＢ信号の色域に合った色表現処理とに自動で切り替えることが特徴になっている。
【００４７】
図２（ｂ）に示すように、映像処理部８は第１マッピング処理部８ａ（第１割当手段に相当）、第２マッピング処理部８ｂ（第２割当手段に相当）、変換処理部８ｃ（変換手段に相当）、および内部メモリ８ｄを具備している。なお、映像処理部８の内部メモリ８ｄは、入力ソースとして選択されている画像信号の取得元（ＡＤ変換部５、デジタル入力部６、デジタルチューナ７のいずれか）から順次送られてくるＹＣｂＣｒ信号に応じた画像信号を一時的に記憶すると共に、変換処理部８ｃが行う変換処理用のワークエリア等として用いられる。
【００４８】
映像処理部８の第１マッピング処理部８ａは、上述した色域判断部９の第１段階の検出結果に応じて、ＡＤ変換部５、デジタル入力部６、デジタルチューナ７のいずれかから送られてきて内部メモリ８ｄに記憶しているＹＣｂＣｒ信号に応じた画像信号のマッピング処理を行うものである。詳しくは、色域判断部９から送られてきた検出結果の情報が、図３に示す第１領域１１ａまたは第２領域１１ｂの少なくともいずれか一方に属する値を、画像信号に係るＹＣｂＣｒ信号が含むことを検出した旨を表していれば、第１マッピング処理部８ａは、その検出結果と共に映像処理部８へ送られてきた識別信号に応じた画像信号を、内部メモリ８ｄから読み出す。
【００４９】
そして、第１マッピング処理部８ａは、読み出した画像信号を第１領域１１ａと第２領域１１ｂに属する範囲（第１拡張色空間に相当する範囲）の値も含めて、液晶パネル２０のＲＧＢ信号での色表示域（８ビットの動作範囲）に係る階調へマッピングする処理を行い、マッピングした画像信号（ＲＧＢ信号）を液晶パネル２０へ供給する。このようなマッピング処理を第１マッピング処理部８ａが行うので、液晶パネル２０の色表現範囲が、ｘｖＹＣＣ空間に合わせて最大限利用されることになり、鮮やかで深い色味のある画像を表現することができる。なお、第１マッピング処理部８ａは、上述したようなマッピング処理を行うと、処理を行った旨を示すマッピング処理情報を制御部２１へ送る。また、上述した第１マッピング処理部８ａが行うｘｖＹＣＣ色空間の拡張した色空間（第１拡張色空間）に合わせたマッピング処理を、以降の説明では第１ｘｖＹＣＣ信号処理と称する。
【００５０】
また、色域判断部９から送られてきた第１段階の検出結果の情報が、画像信号に係るＹＣｂＣｒ信号の中に第１領域１１ａまたは第２領域１１ｂのいずれか一方に属する値が含まれないことを検出した旨を表していれば、映像処理部８は、変換処理部８ｃで、画像信号をＲＧＢ変換させて、ＲＧＢ変換後の画像信号のＲＧＢ値を色域判断部９へ送る処理を行う。詳しくは、変換処理部８ｃが、色域判断部９から検出結果と共に送られてきた識別信号に応じた画像信号を内部メモリ８ｄから読み出し、その読み出した画像信号をＲＧＢ変換して、変換後のｓＲＧＢ信号に応じた画像信号の信号値（ＲＧＢ値）を識別信号と共に色域判断部９へ送る。なお、変換処理部８ｃでＲＧＢ変換された画像信号（ＲＧＢ信号）と、ＲＧＢ変換前の画像信号（ＹＣｂＣｒ信号）は両方とも、識別信号と対応付けて内部メモリ８ｄに保存される。
【００５１】
再度、映像処理部８の第１マッピング処理部８ａの説明に戻り、第１マッピング処理部８ａは、上述した色域判断部９の第２段階の検出結果に応じて、内部メモリ８ｄに記憶しているＹＣｂＣｒ信号に応じた画像信号のマッピング処理も行っている。詳しくは、色域判断部９から送られてきた検出結果の情報が、図３に示す第３領域１１ｃ〜第６領域１１ｆの少なくともいずれか一つに属する値を、ＲＧＢ変換した画像信号に係るＲＧＢ値が含むことを検出した旨を表していれば、第１マッピング処理部８ａは、その検出結果と共に映像処理部８へ送られてきた識別信号に応じた画像信号（ＲＧＢ変換前のオリジナルのＹＣｂＣｒ信号）を内部メモリ８ｄから読み出す。
【００５２】
そして、第１マッピング処理部８ａは、読み出した画像信号（ＹＣｂＣｒ信号）を第３領域１１ｃ〜第６領域１１ｆに属する値も含めて、液晶パネル２０のＲＧＢ信号での色表示域（８ビットの動作範囲）に係る階調へマッピングする処理を行い、マッピングした画像信号（ＲＧＢ信号）を液晶パネル２０へ供給する。このようなマッピング処理も、第１マッピング処理部８ａが行うので、液晶パネル２０の色表現範囲に、ｘｖＹＣＣ色空間に応じた範囲、すなわち従来クリッピングされていたｓＲＧＢ空間において負となる範囲および１を超過する範囲（第２拡張色空間に相当する範囲）の色域も割り当てられるようになり、従来に比べて鮮やかで深い色味のある画像を表現することができる。なお、第１マッピング処理部８ａは、上述したようなマッピング処理を行ったときも、処理を行った旨を示すマッピング処理情報を制御部２１へ送る。また、上述した第１マッピング処理部８ａによるｓＹＣｂＣｒ色空間を拡張した色空間（第２拡張色空間）に合わせたマッピング処理を、以降の説明では第２ｘｖＹＣＣ信号処理と称する。
【００５３】
最後に、映像処理部８の第２マッピング処理部８ｂは、上述した色域判断部９の第２段階の検出結果に応じて、内部メモリ８ｄに記憶しているＲＧＢ変換された画像信号のマッピング処理を行うものである。詳しくは、色域判断部９から送られてきた第２段階の検出結果の情報が、図３に示す第３領域１１ｃ〜第６領域１１ｆの少なくともいずれか一つに属する値を、ＲＧＢ値が含まないことを検出した旨を表していれば、第２マッピング処理部８ｂは、その検出結果と共に映像処理部８へ送られてきた識別信号に応じたＲＧＢ変換済みの画像信号を、内部メモリ８ｄから読み出す。
【００５４】
そして、第２マッピング処理部８ｂは、読み出したＲＧＢ変換済みの画像信号を液晶パネル２０のＲＧＢ信号での色表示域（８ビットの動作範囲）に係る階調へマッピングし、マッピングした画像信号（ＲＧＢ信号）を液晶パネル２０へ供給する。このような第２マッピング処理部８ｂのマッピング処理により、外部から取得した画像信号には、拡張色空間に応じた第１領域１１ａ〜第６領域１１ｃに属する値が含まれなければ、ｓＲＧＢ色空間の色域に合ったマッピング処理を行うことで、本発明は、液晶パネル２０の色域に係る作動範囲を有効に利用できるようにしている。なお、第２マッピング処理部８ｂが行うｓＲＧＢ色空間に応じたマッピングの処理を、以降の説明ではｓＲＧＢ信号処理と称する。
【００５５】
図１に戻って説明を続けると、制御部２１は、操作部２４またはリモコン装置２６で受け付けるユーザからの操作指示に従って、上述した各部の制御を行う。ユーザの操作指示に伴って制御部２１が行う制御の一例として、アナログチューナ２、ビデオ入力部３、デジタル入力部６またはデジタルチューナ７の中から入力ソース（画像信号の取得元）を選択する制御（セレクタ４の切替制御も含む）、選択された入力ソースがアナログチューナ２またはデジタルチューナ７のいずれかであれば、放送チャンネルの選択等に係る制御が挙げられる。また、制御部２１が自動で行う制御内容の一つに、バックライト調整部２３（照射量調整手段に相当）に対する制御がある。なお、操作部２４またはリモコン装置２６は、上下左右キー、決定キー、テレビジョン装置１の各種機能に応じた操作指示の受付キー、電源オン・オフボタン等を具備している。
【００５６】
バックライト調整部２３は、ＬＥＤ光源または蛍光管からなるバックライト２２（照射手段に相当）の点灯と消灯の切替、点灯時の照射量の調整等を制御部２１の制御指示に従って行うものであり、制御部２１から点灯指示を受けると、バックライト２２を点灯させ、消灯指示を受けると、点灯させていたバックライト２２を消灯させる。また、バックライト調整部２３は、点灯させたバックライト２２を最初、デフォルトの照射量（基準量に相当）に設定するが、制御部２１から、照射量を高める指示を受けると、デフォルト照射量から高める調整を行い、照射量を低くする指示を受けると、デフォルト照射量から低める調整を行う。
【００５７】
制御部２１は、ユーザの操作指示に従って、バックライト２２の照射量を調整する場合、照射量を高める指示または低める指示を出すが、本発明においては、上述した映像処理部８から送られてくるマッピング処理情報を受け取った場合に、照射量を高める指示をバックライト調整部２３へ送る制御を行う。映像処理部８がマッピング処理情報を制御部２１へ送る場合は、ｘｖＹＣＣ色空間の第１領域１１ａ〜第６領域１１ｆのいずれかに属する値も含めてマッピング処理を行った場合（第１ｘｖＹＣＣ信号処理または第２ｘｖＹＣＣ信号処理を行った場合）に相当し、この場合、液晶パネル２０では、より鮮やかな色、深みのある色味を再現できるが、その反面、バックライト２２から照射される光量が、鮮やかさ及び深みを増した色により、パネル表面へ到達するまでに遮られる程度が高まり、それによりパネル表面での輝度が下がる。そのため、上述したように、バックライト２２の照射量を高めることで、パネル表面での輝度低下分が補われ、液晶パネル２０は、鮮やかな色、深みのある色味で表現された画像を適切な輝度で表示することができる。
【００５８】
図４に示すフローチャートは、上述した処理を行うテレビジョン装置１における画像信号に対する一連の処理手順を整理したものである。以下、図４のフローチャートに基づいて本発明に係る処理内容（画像処理方法）を説明する。なお、以下の説明では、ユーザによる電源オン操作後に、デジタルチューナ７を入力ソースとして、ユーザが選択した場合の内容にしているが、他の入力ソース（アナログチューナ２、ビデオ入力部３、デジタル入力部６）が選択された場合でも、外部から取得した画像信号に対する処理内容は、下記の説明と同等になる。
【００５９】
まず、テレビジョン装置１は、操作部２４またはリモコン装置２６で入力ソースとして選択されたデジタルチューナ７で、ユーザにより設定された放送チャンネルの放送信号を受信して、テレビジョン放送の画像信号（ＹＣｂＣｒ信号）を取得する（Ｓ１）。次に、テレビジョン装置１は、色域判断部９の第１検出部９ａで、取得した画像信号に係るＹＣｂＣｒ信号の中に、図３の第１領域１１ａまたは第２領域１１ｂの少なくともいずれかの範囲（第１拡張色空間の範囲）に属する値が含まれるか否かを検出する（Ｓ２）。第１検出部９ａが、各領域１１ａ、１１ｂのいずれかに属する値が画像信号に含まれることを検出した場合（Ｓ２：ＹＥＳ）、テレビジョン装置１は、映像処理部８の第１マッピング処理部８ａで、Ｓ２の段階の検出処理対象と同じ識別番号の画像信号に対して第１ｘｖＹＣＣ信号処理を行う（Ｓ３）。
【００６０】
また、第１検出部９ａが、各領域１１ａ、１１ｂのいずれかに属する値が画像信号に含まれないことを検出した場合（Ｓ２：ＮＯ）、テレビジョン装置１は、映像処理部８の変換処理部８ｃで、取得した画像信号（ＹＣｂＣｒ信号）のＲＧＢ変換を行う（Ｓ４）。そして、テレビジョン装置１は、色域判断部９の第２検出部９ｂで、ＲＧＢ変換された画像信号のＲＧＢ値（ｓＲＧＢ信号値）の中に、第２拡張色空間に応じた図３の第３領域１１ｃ〜第６領域１１ｆの少なくともいずれかに属する値が含まれるか否かを検出する（Ｓ５）。第２検出部９ｂが、各領域１１ｃ〜１１ｆのいずれかに属する値が画像信号に含まれることを検出した場合（Ｓ５：ＹＥＳ）、テレビジョン装置１は、映像処理部８の第１マッピング処理部８ａで、Ｓ５の段階の検出処理対象と同じ識別番号の画像信号に対して第２ｘｖＹＣＣ信号処理を行う（Ｓ６）。
【００６１】
それから、テレビジョン装置１は、Ｓ３の段階で第１ｘｖＹＣＣ信号処理が行われた場合、またはＳ６の段階で第２ｘｖＹＣＣ信号処理が行われた場合、バックライト２２の照射量をデフォルトより高める処理を行い（Ｓ７）、各ｘｖＹＣＣ信号処理を行った画像信号に基づいた画像を液晶パネル２０に表示させる出力処理を行う（Ｓ９）。
【００６２】
一方、第２検出部９ｂが、各領域１１ｃ〜１１ｆのいずれかに属する値が画像信号に含まれないことを検出した場合（Ｓ５：ＮＯ）、テレビジョン装置１は、映像処理部８の第２マッピング処理部８ｂで、Ｓ５の段階の検出処理に係るＲＧＢ変換された画像信号に対してｓＲＧＢ信号処理を行う（Ｓ８）。そして、テレビジョン装置１は、ｓＲＧＢ信号処理を行った画像信号に基づいた画像を液晶パネル２０に表示させる出力処理を行う（Ｓ９）。
【００６３】
最後に、テレビジョン装置１は、操作部２４またはリモコン装置２６で、電源オフ操作を受け付けたか否かを制御部２１で判断する（Ｓ１０）。電源オフ操作を受け付けていない場合（Ｓ１０：ＮＯ）、テレビジョン装置１は、最初の段階（Ｓ１）へ戻り、画像信号の取得を継続する。一方、ユーザから電源オフ操作を受け付けた場合（Ｓ１０：ＹＥＳ）、テレビジョン装置１は、一連の処理を終了する。
【００６４】
よって、本発明のテレビジョン装置１は、上述したような処理を行うので、例えば、テレビジョン放送で放送されてきた放送番組に係る画像信号が、放送時間帯によってｘｖＹＣＣ色空間の拡張された色空間（拡張色空間）に属する値を含むものと、ｓＲＧＢ色空間のみで規定された範囲に属する値を含むものが切り替わっても、それに対応して、自動的に、第１ｘｖＹＣＣ信号処理、第２ｘｖＹＣＣ信号処理、ｓＲＧＢ信号処理を適宜切り替えるので、常に、液晶パネル２０の色域表現範囲を有効に使うことができる。さらに、テレビジョン装置１が第１ｘｖＹＣＣ信号処理または第２ｘｖＹＣＣ信号処理を行う際、バックライト２２の照射量を高めるので、画像を表示するパネル表面における適切な輝度を確保した上で、ｘｖＹＣＣ色空間の拡張色空間に属する値を含む画像信号に基づく鮮やかで深い色味のある画像をユーザは楽しむことができる。
【００６５】
なお、本発明は、上述した実施形態に限定されるものではなく、様々な変形例が考えられる。例えば、液晶パネル以外の表示デバイスを備えるテレビジョン装置（表示装置）に対しても、本発明は適用可能であり、例えば、表示デバイスとしては、有機ＥＬのような表示パネル、ブラウン管（受像管）、プラズマディスプレイ（PDP）等も適用可能である。また、バックライトまたはフロントライト等を必要としない表示デバイスを適用する場合、図１のバックライト２２およびバックライト調整部２３の替わりに、適用される表示デバイスの画面輝度を調整するユニットを、上述したバックライト調整部２３の照射量の調整処理を同様に制御部２１が制御を行うことになる。たとえば、表示デバイスとして、自発光式の有機ＥＬを適用した場合、有機ＥＬの発光量を調整するユニットに対して、制御部２１は制御を行うことになる。
【００６６】
さらに、上述した説明では、画像信号として動画を構成する画像フレームの画像信号に対する処理で説明したが、勿論、静止画の画像信号に対しても、同様な処理を行うことができる。特に、デジタル入力部６の無線インタフェース６ｂとして、ＩｒＳＳ用の無線インタフェースを用いて、外部のＩｒＳＳ通信可能な撮像機能を有する携帯電話機等から送られる撮像画像（静止画）を取得する場合に対しても、適切な色表現処理の切替を自動で行うことが可能となる。さらにまた、本発明は、ＨＤＭＩまたは無線ＨＤＭＩに対応したＨＤＭＩ系インタフェースを具備している表示装置に適用された場合に、ＨＤＭＩ規格に係るインフォフレームに色信号を示す識別符号が含まれないときに、ＨＤＭＩ系インタフェースで取得する画像信号に含まれる色信号の値に応じて、最適な色表現処理を自動で適宜切り替えることができる。
【００６７】
また、図５に示すように、表示デバイスを有しない画像処理装置５０に対しても適用可能である。この場合、画像処理装置５０は、図１に示す構成において、液晶パネル２０、バックライト２２、およびバックライト調整部２３が省略されると共に、映像処理部８のマッピングされた画像信号の出力を画像出力端子（接続手段に相当）から行うようになり、この画像出力端子に、外部の表示装置４０を接続する形態となる。このような画像処理装置５０には、録画装置、ケーブルテレビまたは特定の放送の受信を行うセットトップボックス等に適用可能である。また、外部の表示装置４０が備える表示デバイス４０ａ（たとえば、液晶パネル）は、機種により色再現特性が相異することがあるので、マッピング処理においても微妙なチューニング処理が要求されることもある。そのため、図５に示す変形例の画像処理装置５０に、様々な外部表示装置に合ったチューニング処理用のテーブルを具備させると共に、画像出力端子に接続された外部表示装置の種類に合ったチューニング処理を、上記テーブルから読み出すようにして、上述したマッピング処理の結果を接続対象の外部表示装置の表示特性に合わせてチューニング（調整）することが好ましい。
【図面の簡単な説明】
【００６８】
【図１】本発明の実施形態に係るテレビジョン装置の主要な内部構成を示すブロック図である。
【図２】（ａ）は、色域判断部の構成を示す概略図、（ｂ）は映像処理部の構成を示す概略図である。
【図３】ＹＣｂＣｒ色空間をベースとした色域を示すグラフである。
【図４】本発明に係る画像処理方法の処理手順を示すフローチャートである。
【図５】本発明の変形例に係る画像処理装置を示す概略図である。
【符号の説明】
【００６９】
１  画像処理装置
２  アナログチューナ
３  ビデオ入力部
６  デジタル入力部
７  デジタルチューナ
８  映像処理部
８ａ  第１マッピング処理部
８ｂ  第２マッピング処理部
８ｃ  変換処理部
９  色域判断部
９ａ  第１検出部
９ｂ  第２検出部
２０  液晶パネル
２１  制御部
２２  バックライト
２３  バックライト調整部
【図１】
0005063394.tif 000002
【図２】
0005063394.tif 000003
【図３】
0005063394.tif 000004
【図４】
0005063394.tif 000005
【図５】
0005063394.tif 000006